(57)【要約】【課題】便器に付着した有機物による汚れ、無機物による汚れ、および、これらが複合して生じる尿石を、効率よく洗浄、除去するためのトイレ洗浄用組成物と、トイレ用エアゾール洗浄剤とを提供すること。【解決手段】界面活性剤と、アルカリ剤と、キレート剤と、テルペン系化合物と、水とを含み、さらに、任意にグリコール系化合物および／またはアルコール系化合物を含むトイレ洗浄用組成物を用い、または、上記トイレ洗浄用組成物と噴射剤とが、エアゾール容器内に充填されているトイレ用エアゾール洗浄剤を用いて、トイレ（洋式大便器）１０の便器１１、便座１２、ボール部１３、リム部１４、ボックス型リム部の噴水孔などを洗浄する。【選択図】図１
2008038033.tif 000002
【特許請求の範囲】
【請求項１】
界面活性剤と、アルカリ剤と、キレート剤と、テルペン系化合物と、水と、を含むことを特徴とする、トイレ洗浄用組成物。
【請求項２】
さらに、グリコール系化合物および／またはアルコール系化合物を含むことを特徴とする、請求項１に記載のトイレ洗浄用組成物。
【請求項３】
前記テルペン系化合物が、Ｄ−リモネンであることを特徴とする、請求項１または２に記載のトイレ洗浄用組成物。
【請求項４】
請求項１〜３のいずれかに記載のトイレ洗浄用組成物と、噴射剤とが、エアゾール容器内に充填されていることを特徴とする、トイレ用エアゾール洗浄剤。
【請求項５】
前記エアゾール容器が、前記トイレ洗浄用組成物を外部へ噴射させるための噴射口に接続される噴射管を備えていることを特徴とする、請求項４に記載のトイレ用エアゾール洗浄剤。
【請求項６】
前記トイレ用エアゾール洗浄剤が、便器の便鉢外周のリム部内側用の洗浄剤であることを特徴とする、請求項４または５に記載のトイレ用エアゾール洗浄剤。
【発明の詳細な説明】
【技術分野】
【０００１】
本発明は、トイレ洗浄用組成物およびトイレ用エアゾール洗浄剤に関し、詳しくは、便器のリム部などに付着した汚れを除去するためのトイレ洗浄用組成物と、そのトイレ洗浄用組成物が充填されるエアゾール洗浄剤とに関する。
【背景技術】
【０００２】
トイレの汚れには、タンパク質、油脂などの有機物による汚れと、尿に含まれるカルシウム分などの無機物による汚れとがある。また、尿に含まれるカルシウム分と、尿素の分解物であるアンモニアとにより生じた水不溶性の成分が、有機物とともに固まると、便器の表面に強固に付着する尿石を生成する。
タンパク質、油脂などの有機物による汚れの除去には、家庭用洗剤として一般的な弱アルカリ性の洗浄剤が好適である。
【０００３】
しかしながら、カルシウム分などの無機物による汚れや、有機物による汚れと無機物による汚れとが複合して生じる尿石の除去には、アルカリ性や中性の洗浄剤は不向きであり、酸性の洗浄剤が好適である。一方、酸性の洗浄剤は、タンパク質などの有機物による汚れの除去には、不向きである。
特許文献１には、トイレの配管などに付着したスケールの除去剤として、キレート剤、ケイ酸塩および水を必須成分として含有する、アルカリ性の組成物が記載されている。
【特許文献１】特開２００２−２０１４９５号公報
【発明の開示】
【発明が解決しようとする課題】
【０００４】
しかるに、特許文献１に記載されたアルカリ性の組成物は、上述のように、有機物による汚れの除去に適しているものの、無機物による汚れや、これらが複合して生じる尿石を除去しくいという不具合がある。
そこで、本発明の目的は、便器に付着した有機物による汚れ、無機物による汚れ、および、これらが複合して生じる尿石を、効率よく洗浄、除去するためのトイレ洗浄用組成物と、トイレ用エアゾール洗浄剤とを提供することにある。
【課題を解決するための手段】
【０００５】
上記目的を達成するために、本発明のトイレ洗浄用組成物は、界面活性剤と、アルカリ剤と、キレート剤と、テルペン系化合物と、水と、を含むことを特徴としている。
本発明のトイレ洗浄用組成物は、アルカリ剤を含有しており、トイレ洗浄用組成物全体がアルカリ性となることから、本発明のトイレ洗浄用組成物を用いることにより、便器に付着したタンパク質、油脂などの有機物による汚れを、効率よく除去することができる。
【０００６】
また、本発明のトイレ洗浄用組成物では、テルペン系化合物が含有されており、これにより、カルシウムなどの無機物による汚れや尿石を、効率よく除去することができる。
それゆえ、本発明のトイレ洗浄用組成物によれば、有機物による汚れと無機物による汚れとの、互いにタイプの異なる２種類の汚れや、これらが複合して生じる尿石を、一度に効率よく洗浄、除去することができる。
【０００７】
本発明のトイレ洗浄用組成物は、さらに、グリコール系化合物および／またはアルコール系化合物を含むことが好ましい。
本発明のトイレ洗浄用組成物は、前記テルペン系化合物が、Ｄ−リモネンであることが好ましい。
本発明のトイレ用エアゾール洗浄剤は、本発明のトイレ洗浄用組成物と、噴射剤とが、エアゾール容器内に充填されていることを特徴としている。
【０００８】
本発明のトイレ用エアゾール洗浄剤によれば、本発明のトイレ洗浄用組成物を、エアゾール容器からムース状で噴射することができる。このため、便器のリム部やボール部、便座などの洗浄の対象物の表面に、本発明のトイレ洗浄用組成物を、比較的長時間にわたって付着させることができ、上記対象物の表面での洗浄効果を向上させることができる。
本発明のトイレ用エアゾール洗浄剤では、前記エアゾール容器が、前記トイレ洗浄用組成物を外部へ噴射させるための噴射口に接続される噴射管を備えていることが好ましい。
【０００９】
この場合、トイレ洗浄用組成物を、洗浄の対象物の表面に対し、確実に、ピンポイントで付着させることができる。
本発明のトイレ用エアゾール洗浄剤は、例えば、便器の便鉢外周のリム部内側用の洗浄剤として好適である。
【発明の効果】
【００１０】
本発明のトイレ洗浄用組成物によれば、有機物による汚れと無機物による汚れとの、互いにタイプが異なる２種類の汚れや、これらが複合して生じる尿石を、一度に効率よく洗浄、除去することができる。
また、本発明のトイレ用エアゾール洗浄剤によれば、本発明のトイレ洗浄用組成物が用いられることから、上記２種類の汚れや尿石を効率よく洗浄、除去することができ、しかも、トイレ洗浄用組成物が、エアゾール容器からムース状で噴射されるため、洗浄の対象物の表面で、比較的長時間にわたって付着させることができ、洗浄作用を確実に発揮させることができる。
【発明を実施するための最良の形態】
【００１１】
本発明のトイレ洗浄用組成物は、界面活性剤と、アルカリ剤と、キレート剤と、テルペン系化合物と、水と、を含んでいる。
界面活性剤は、本発明のトイレ洗浄用組成物において、主たる洗浄成分として配合される。この界面活性剤は、特に限定されず、ノニオン界面活性剤、アニオン界面活性剤および両性界面活性剤が挙げられる。
【００１２】
ノニオン界面活性剤としては、特に限定されず、各種のノニオン界面活性剤が挙げられる。具体的には、例えば、アルキルポリグルコシド、アルキルグルコシド、アルキルグルコシドのポリオキシエチレン付加物、アルキルグルコシドの脂肪酸エステル、グリセリン脂肪酸エステル、ソルビタン脂肪酸エステル、ソルビトール脂肪酸エステル、ショ糖脂肪酸エステル、ポリオキシエチレン脂肪酸エステル、ポリオキシエチレン脂肪酸ジエステル、ポリオキシエチレン樹脂酸エステル、脂肪酸アルカノールアミド、ポリオキシエチレン脂肪酸アミド、ポリオキシエチレンアルキルアミン、ポリオキシエチレンアルキルエーテル、ポリオキシエチレンアルキルフェニルエーテル、ポリオキシエチレンアルキルフェニルエーテルホルマリン縮合物、ポリオキシエチレンジアルキルフェニルエーテル、ポリオキシエチレン・ポリオキシプロピレンブロックポリマー、ポリオキシエチレン脂肪酸ビスフェニルエーテル、ポリオキシアルキレンベンジルフェニルエーテル、ポリオキシアルキレンフェニルフェニルエーテル、ポリオキシアルキレンスチリルフェニルエーテル、ポリオキシエチレンヒマシ油、ポリオキシエチレン硬化ヒマシ油などのノニオン界面活性剤が挙げられる。
【００１３】
上記ノニオン界面活性剤におけるアルキル基としては、例えば、オクタン、ノナン、デカン、ウンデカン、ドデカン、トリデカン、テトラデカン、ペンタデカン、ヘキサデカン、ヘプタデカン、オクタデカン、ノナデカン、イコサン、ヘンイコサン、ドコサン、１０−ウンデセン、シス−９−オクタデセン、トランス−９−オクタデセン、シス−９，シス−１２−オクタデカジエン、トランス−９，トランス−１２−オクタデカジエンなどの、炭素数８〜２２のアルキルが挙げられる。
【００１４】
上記ノニオン界面活性剤における脂肪酸としては、例えば、カプリル酸、ノナン酸、カプリン酸、ウンデカン酸、ラウリン酸、トリデカン酸、ミリスチン酸、ペンタデカン酸、パルミチン酸、ヘプタデカン酸、ステアリン酸、ノナデカン酸、アラキン酸、ヘンイコサン酸、ベヘン酸などの、炭素数８〜２２の飽和脂肪酸や、例えば、ウンデシレン酸、オレイン酸、エライジン酸、リノール酸、リノエライジン酸、α−リノレン酸、γ−リノレン酸、ステアロール酸、アラキドン酸、エルカ酸、ブラシジン酸、セトレイン酸などの、炭素数８〜２２の不飽和脂肪酸が挙げられる。
【００１５】
これらノニオン界面活性剤は、単独で、または、２種以上を混合して用いることができる。また、これら脂肪酸は、例えば、パーム油、パーム核油、牛脂、ヤシ油、米糠油、大豆油などの天然油脂より供給される、２種以上の脂肪酸からなる混合物であってもよい。
また、上記ノニオン界面活性剤のなかでも、好ましくは、例えば、アルキルポリグルコシド、脂肪酸アルカノールアミドが挙げられる。
【００１６】
アニオン界面活性剤としては、特に限定されず、各種のアニオン界面活性剤が挙げられる。具体的には、例えば、カルボン酸塩系（例えば、脂肪酸セッケン、Ｎ−アシルアミノ酸塩、ポリオキシエチレンカルボン酸塩、ポリオキシエチレンアルキルエーテルカルボン酸塩など）、スルホン酸塩系（例えば、アルキルスルホン酸塩、アルキルベンゼンスルホン酸塩、アルキルナフタレンスルホン酸塩、ナフタレンスルホン酸塩−ホルマリン重縮合物、スルホコハク酸塩、α−オレフィンスルホン酸塩、Ｎ−アシルスルホン酸塩など）、硫酸エステル塩（例えば、アルキル硫酸塩、アルキルエーテル硫酸塩、ポリオキシエチレン硫酸塩、ポリオキシエチレンアルキルアリルエーテル硫酸塩、アルキルアミド硫酸塩）、リン酸エステル塩系（例えば、アルキルリン酸塩、ポリオキシエチレンリン酸塩、ポリオキシエチレンアルキルエーテルリン酸塩、ポリオキシエチレンアルキルアリルエーテルリン酸塩など）などのアニオン界面活性剤が挙げられる。
【００１７】
上記アニオン界面活性剤におけるアルキル基や、脂肪酸としては、上記したのと同様のものが用いられる。
また、上記アニオン界面活性剤における塩としては、例えば、リチウム塩、ナトリウム塩、カリウム塩、トリエタノールアミン塩、ジエタノールアミン塩、モノエタノールアミン塩などが挙げられ、好ましくは、ナトリウム塩、カリウム塩、トリエタノールアミン塩が挙げられる。
【００１８】
これらアニオン界面活性剤は、単独で、または、２種以上を混合して用いることができる。
両性界面活性剤としては、特に限定されず、各種の両性界面活性剤が挙げられる。具体的には、例えば、アルキルベタイン、アルキルジメチルアミノ酢酸ベタイン、アルキルアミドプロピルベタイン、アルキルスルホベタインなどのベタイン系界面活性剤、例えば、アルキルイミダゾリンの誘導型両性界面活性剤であるイミダゾリン系両性界面活性剤、例えば、Ｎ−アルキルアミノ酸またはその塩からなるアミノ酸型両性界面活性剤、例えば、アルキルジアミノエチルグリシン、アルキルポリアミノエチルグリシンのナトリウム塩や塩酸塩である両性界面活性剤が挙げられる。
【００１９】
これら両性界面活性剤は、単独で、または、２種以上を混合して用いることができる。
また、界面活性剤としては、上記例示の界面活性剤に加え、例えば、ノニオン界面活性剤、アニオン界面活性剤および両性界面活性剤のいずれかに分類される、アミノ酸系界面活性剤や、例えば、天然油脂（例えば、ヤシ油、パーム油、パーム核油など）から得られる脂肪酸の界面活性剤などを例示することもできる。
【００２０】
アミノ酸系界面活性剤としては、例えば、ココイルグルタミン酸塩、ラウリルグルタミン酸塩、ミリスチングルタミン酸塩、天然タンパク質の加水分解物（例えば、シルク（絹）から得られるアミノ酸系界面活性剤）などが挙げられる。
天然油脂脂肪酸の界面活性剤としては、例えば、ヤシ油脂アミノ酸塩、ヤシ油脂肪酸塩などが挙げられる。
【００２１】
上記例示の界面活性剤は、２種以上を混合して用いることができる。
界面活性剤は、上記のなかでも特に、アルキルポリグルコシド、脂肪酸アルカノールアミド、ヤシ油脂アミノ酸塩、ヤシ油脂肪酸塩が好ましい。
アルカリ剤は、本発明のトイレ洗浄用組成物にアルカリ性を付与するための成分として配合され、また、界面活性剤による洗浄作用を相乗的に向上させる洗浄助剤として、配合される。
【００２２】
アルカリ剤は、具体的には、例えば、水酸化ナトリウム、水酸化カリウムなどの水酸化アルカリ金属塩、例えば、炭酸ナトリウム、炭酸水素ナトリウム（重曹）、炭酸カリウムなどの炭酸塩、例えば、ケイ酸ナトリウム（珪酸ソーダ）、メタケイ酸ナトリウム（メタ珪酸ソーダ）、オルトケイ酸ナトリウム（オルト珪酸ソーダ）、ケイ酸カリウム、メタケイ酸カリウム、オルトケイ酸カリウムなどのケイ酸塩などが挙げられる。これらアルカリ剤は、単独で、または、２種以上を組み合わせて用いることができる。
【００２３】
アルカリ剤は、上記例示のなかでも、好ましくは、ケイ酸塩、重曹が挙げられ、より好ましくは、ケイ酸塩（特に、メタケイ酸ソーダ、珪酸ソーダ３号など）が挙げられる。
キレート剤としては、本発明のトイレ洗浄用組成物において、洗浄作用に悪影響を及ぼす重金属イオンを封鎖させるために配合される。
キレート剤は、具体的には、例えば、ニトリロ三酢酸、ヒドロキシエチルエチレンジアミン三酢酸、エチレンジアミン四酢酸（ＥＤＴＡ）、プロピレンジアミン四酢酸、ジエチレントリアミン五酢酸、グリコールエーテルジアミン四酢酸、トリエチレンテトラミン六酢酸、ビス（２−ヒドロキシフェニル酢酸）エチレンジアミン、ジエンコル酸、イミノジ酢酸、ヒドロキシエチルイミノジ酢酸などのアミノポリ酢酸、または、これらのアルカリ金属塩（ナトリウム塩、カリウム塩など）、アルカリ土類金属塩（カルシウム塩など）、アンモニウム塩、アルカノールアミン塩や、例えば、オルトリン酸、ポリリン酸、ピロリン酸、メタリン酸、ヘキサメタリン酸、またはこれらのアルカリ金属塩（ナトリウム塩、カリウム塩など）などが挙げられる。これらキレート剤は、単独で、または、２種以上を組み合わせて用いることができる。
【００２４】
キレート剤は、上記例示のなかでも、経済性、洗浄性能の観点より、好ましくは、グルコン酸ナトリウム、クエン酸三ナトリウム、ニトリロ三酢酸三ナトリウム、エチレンジアミン四酢酸（ＥＤＴＡ）四ナトリウム、ＥＤＴＡ二ナトリウムが挙げられ、より好ましくは、ＥＤＴＡ二ナトリウムが挙げられる。
テルペン系化合物は、本発明のトイレ洗浄用組成物において、例えば、カルシウム汚れに対する洗浄効果を向上させるため、抗菌作用を発揮させるため、および、芳香作用を発揮させるために配合される。
【００２５】
テルペン系化合物としては、例えば、（Ｄ−）リモネン、（α−，β−）ピネン、カンフェン、シネオール、ピペリトン、テルピネオール、（α−，β−，γ−）テルピネンなどが挙げられる。これらテルペン系化合物は、単独で、または、２種以上混合して用いられる。
また、上記テルペン系化合物は、例えば、ユーカリ精油、ヒノキ精油、ヒバ精油、松精油、竹精油、オレンジ精油、グレープフルーツ精油などの、天然物中に存在する形態であってもよく、また、これら天然物中に、２以上のテルペン系化合物の混合物として存在する形態あってもよい。
【００２６】
テルペン系化合物は、上記例示のなかでも、Ｄ−リモネンであるのが好ましい。
グリコール系化合物としては、例えば、エチレングリコール（ＥＧ）、エチレングリコールモノメチルエーテル（メチルセロソルブ（Ｒ））、エチレングリコールモノエチルエーテル（エチルセロソルブ（Ｒ））、エチレングリコールモノブチルエーテル（ブチルセロソルブ（Ｒ））、エチレングリコールジメチルエーテル、エチレングリコールジエチルエーテル、エチレングリコールジブチルエーテル（ジブチルセロソルブ（Ｒ））、エチレングリコールモノアセテート、エチレングリコールジアセテート、エチレングリコールモノメチルエーテルアセテート（メチルセロソルブアセテート）、ジエチレングリコール、ジエチレングリコールモノメチルエーテル（メチルカルビトール（Ｒ））、ジエチレングリコールモノエチルエーテル（カルビトール（Ｒ））、ジエチレングリコールモノブチルエーテル（ブチルカルビトール（Ｒ））、ジエチレングリコールモノエチルエーテルアセテート（カルビトールアセテート）、ジエチレングリコールモノブチルエーテルアセテート（ブチルカルビトールアセテート）、トリメチレングリコール（１，３−プロパンジオール）、トリエチレングリコール、トリエチレングリコールジメチルエーテル、テトラエチレングリコール（ＴＥＧ）などが挙げられ、好ましくは、エチレングリコール、プロピレングリコール、ジエチレングリコールが挙げられる。これらグリコール系化合物は、単独で用いてもよく、２種以上を混合して用いてもよい。
【００２７】
アルコール系化合物としては、例えば、メタノール、エタノール、１−プロパノール、２−プロパノール（イソプロピルアルコール）などのアルコールが挙げられ、好ましくは、エタノール、イソプロピルアルコールなどが挙げられる。これらアルコール系化合物は、単独で用いてもよく、２種以上を混合して用いてもよい。
上記トイレ洗浄用組成物には、必須の成分として、水が配合され、さらに、任意の成分として、再付着防止剤、香料、抗菌剤、除菌剤、酵素剤などを配合することもできる。
【００２８】
再付着防止剤は、洗浄部位に対し、再度の汚れの付着を軽減、抑制するために配合される。
再付着防止剤としては、例えば、シリコーンオイル、ポリエチレングリコール（ＰＥＧ）、カルボキシメチルセルロース（ＣＭＣ）などが挙げられる。
上記トイレ洗浄用組成物は、各上記成分を配合し、混合、分散することにより調製できる。
【００２９】
界面活性剤の含有割合は、トイレ洗浄用組成物中で、好ましくは、１〜５０重量％であり、より好ましくは、２〜３０重量％であり、さらに好ましくは、３〜１０重量％である。
界面活性剤の含有割合が上記範囲を下回ると、トイレ洗浄用組成物の洗浄力が低下するおそれがある。逆に、界面活性剤の含有割合が上記範囲を上回ると、トイレ洗浄用組成物の粘度が上昇して、トイレ用エアゾール洗浄剤に適用する場合に、エアゾール容器から正常に噴射されなくなるおそれがある。
【００３０】
アルカリ剤の含有割合は、トイレ洗浄用組成物中で、好ましくは、０．１〜２０重量％であり、より好ましくは、０．３〜１０重量％であり、さらに好ましくは、０．３〜５重量％である。
また、アルカリ剤の配合割合は、界面活性剤１００重量部に対し、好ましくは、５〜５０重量部であり、より好ましくは、５〜４０重量部である。
【００３１】
アルカリ剤のトイレ洗浄用組成物中での含有割合や、界面活性剤に対する配合割合が上記範囲を下回ると、トイレ洗浄用組成物のｐＨをアルカリ領域に調整できなくなるおそれがある。逆に、アルカリ剤の含有割合や配合割合が上記範囲を上回ると、実際にトイレの洗浄に使用する際の取り扱いが困難になったり、エアゾール容器を腐食させるなど、エアゾール製剤としての使用が困難になったりするおそれがある。
【００３２】
キレート剤の含有割合は、トイレ洗浄用組成物中で、好ましくは、０．１〜１０重量％であり、より好ましくは、０．３〜５重量％である。
また、キレート剤の配合割合は、界面活性剤１００重量部に対し、好ましくは、５〜５０重量部であり、より好ましくは、５〜４０重量部である。
キレート剤のトイレ洗浄用組成物中での含有割合や、界面活性剤に対する配合割合が上記範囲を下回ると、重金属イオンを封鎖するキレート作用を十分に発揮できなくなり、洗浄作用が低下するおそれがある。逆に、キレート剤を、上記割合を上回る範囲で含有、配合させても、キレート作用の程度に変化はみられず、かえって、製造コストを上昇させる不具合を生じるおそれがある。
【００３３】
テルペン系化合物の含有割合は、トイレ洗浄用組成物中で、好ましくは、０．１〜２０重量％であり、より好ましくは、０．３〜１０重量％である。
また、テルペン系化合物の配合割合は、界面活性剤１００重量部に対し、好ましくは、５〜５０重量部であり、より好ましくは、１０〜４０重量部である。
テルペン系化合物のトイレ洗浄用組成物中での含有割合や、界面活性剤に対する配合割合が上記範囲を下回ると、無機物による汚れや尿石に対する洗浄力の低下、洗浄部位に対する抗菌作用の低下、爽やかな香りを付与する効果の低下などを生じるおそれがある。逆に、テルペン系化合物の含有割合や配合割合が上記範囲を上回ると、水への可溶化が困難になって、均一なトイレ洗浄用組成物が得られなくなるおそれがある。
【００３４】
なお、水の含有割合は、上記配合される各種成分の残余の割合とされる。
上記トイレ洗浄用組成物に、任意の成分として、グリコール系化合物および／またはアルコール系化合物を配合する場合において、グリコール系化合物とアルコール系化合物との総量の含有割合は、トイレ洗浄用組成物中で、好ましくは、０．１〜５０重量％であり、より好ましくは、０．３〜２７重量％である。また、グリコール系化合物とアルコール系化合物との総量の配合割合は、界面活性剤１００重量部に対し、好ましくは、５〜１００重量部であり、より好ましくは、１０〜９５重量部である。
【００３５】
上記トイレ洗浄用組成物に、任意の成分として、再付着防止剤を配合する場合において、再付着防止剤の含有割合は、トイレ洗浄用組成物中で、好ましくは、０．０５〜１０重量％であり、より好ましくは、０．１〜５重量％である。また、再付着防止剤の配合割合は、界面活性剤１００重量部に対し、好ましくは、５〜４０重量部であり、より好ましくは、１０〜３０重量部である。
【００３６】
上記トイレ洗浄用組成物は、有機物による汚れと無機物による汚れとの、互いにタイプが異なる２種類の汚れや、これらが複合して生じる尿石を、一度に効率よく洗浄、除去できることから、例えば、トイレの洗浄に、詳しくは、便器のリム部やボール部、便器のボックス型リム部の噴水孔、便座、便蓋、便器の外側表面などの洗浄に好適である。
なお、本発明のトイレ洗浄用組成物の適用対象となるトイレは、洋式トイレと和式トイレのいずれであってもよく、また、大便器と小便器のいずれであってもよい。
【００３７】
本発明のトイレ用エアゾール洗浄剤は、本発明のトイレ洗浄用組成物と、噴射剤と、エアゾール容器とを備えており、本発明のトイレ洗浄用組成物と、上記噴射剤とが、上記エアゾール容器内に充填されている。
エアゾール容器としては、噴出口を有する耐圧性の容器であること以外は、特に限定されず、公知の種々のタイプのエアゾール容器が挙げられる。
【００３８】
エアゾール容器の具体例としては、特に限定されるものではなく、例えば、耐圧容器と、上記耐圧容器の開口部を封止するバルブと、上記バルブに連なって、トイレ洗浄用組成物の噴出口をなすボタンと、上記バルブに連なって、上記エアゾール容器の内部に配置されるディップチューブとを備える、一般的な構造のエアゾール容器が挙げられる。また、例えば、上記ディップチューブを有さず、使用時にバルブを下向きにして（倒立状態で）トイレ洗浄用組成物を噴射させるタイプのエアゾール容器、例えば、上記バルブの横に噴射剤用の孔（ベーパータップ）を備える、微細な噴射粒子を得るのに適したタイプのエアゾール容器（使用時にバルブが上向き（正立状態）であるか、下向き（倒立状態）であるかを問わないタイプのもの。）、例えば、チューブタイプやプリーツタイプの内袋を有する二重構造タイプのエアゾール容器などが挙げられる。
【００３９】
また、上記エアゾール容器は、好ましくは、上記トイレ洗浄用組成物を外部へ噴射させるための噴射口に接続される噴射管を備えている。この噴射管は、より好ましくは、上記噴射口に対して着脱自在に接続される。
噴射管は、エアゾール容器の噴射口から噴射されるトイレ洗浄用組成物を通過させることができる内径を備えていること以外は、特に限定されず、例えば、噴射管の長さ、外径などについては、エアゾール容器の用途に応じて、適宜設定できる。また、噴射管は、プラスチック製であってもよく、金属製であってもよい。上記噴射管は、例えば、噴射管と上記噴射口とを互いに嵌合させることにより、上記エアゾール容器に装着することができる。
【００４０】
上記噴射管がエアゾール容器に備えられているときは、エアゾール容器の使用時に、トイレ洗浄用組成物を、所望の部位に対して集中して、すなわち、ピンポイントで噴射させることができる。
噴射剤としては、例えば、プロパン、ｎ−ブタン、イソブタン、これらの混合物である液化石油ガス（ＬＰＧ）、例えば、メタンを主成分とする液化天然ガス（ＬＮＧ）、例えば、イソペンタン、ジメチルエーテルなどの液化ガス、例えば、フロン１１（登録商標）、フロン１２（登録商標）、フロン２１（登録商標）、フロン１１３（登録商標）、フロン１１４（登録商標）などのフッ化炭化水素類、例えば、窒素ガス、炭酸ガスなどが挙げられる。なかでも、特に好ましくは、ＬＰＧが挙げられる。
【００４１】
エアゾール容器内でのトイレ洗浄用組成物と噴射剤との充填割合は、特に限定されないが、通常、重量比で、５：９５〜９５：５であり、好ましくは、１０：９０〜９０：１０である。
エアゾール洗浄剤中での界面活性剤の含有割合は、好ましくは、０．０５〜４７．５重量％であり、より好ましくは、０．１〜２８．５重量％であり、さらに好ましくは、０．１５〜９．５重量％である。
【００４２】
エアゾール洗浄剤中でのアルカリ剤の含有割合は、好ましくは、０．００５〜１９重量％、より好ましくは、０．０１５〜９．５重量％であり、さらに好ましくは、０．０１５〜４．７５重量％である。
エアゾール洗浄剤中でのキレート剤の含有割合は、好ましくは、０．００５〜９．５重量％、より好ましくは、０．０１５〜４．７５重量％である。
【００４３】
エアゾール洗浄剤中でのテルペン系化合物の含有割合は、好ましくは、０．００５〜１９重量％、より好ましくは、０．０１５〜９．５重量％である。
エアゾール洗浄剤中での水の含有割合は、特に限定されないが、好ましくは、１０〜９０重量％、より好ましくは、１５〜８５重量％である。
また、上記トイレ洗浄用組成物に、任意の成分として、グリコール系化合物および／またはアルコール系化合物を配合する場合において、エアゾール洗浄剤中でのグリコール系化合物および／またはアルコール系化合物の含有割合は、好ましくは、０．００５〜１９重量％であり、より好ましくは、０．０１５〜９．５重量％である。
【００４４】
上記トイレ洗浄用組成物に、任意の成分として、再付着防止剤を配合する場合において、エアゾール洗浄剤中での再付着防止剤の含有割合は、好ましくは、０．００２５〜９．５重量％であり、より好ましくは、０．００５〜４．７５重量％である。
本発明のトイレ用エアゾール洗浄剤を調製するには、例えば、本発明のトイレ洗浄用組成物をエアゾール容器内に充填し、さらに、エアゾール容器内に噴射剤を加圧充填後、密封すればよい。
【００４５】
上記トイレ用エアゾール洗浄剤は、例えば、洋式大便器、和式大便器、小便器などの各種便器における便鉢外周のリム部（縁部）や便鉢部（ボール部）、各上記便器の外側表面、洋式大便器の便座や便蓋などの洗浄に用いることができる。
とりわけ、上記トイレ用エアゾール洗浄剤は、例えば、各上記便器の便鉢外周のリム部内側、具体的には、例えば、各上記便器の便鉢外周のリム部（縁部）の窪み部分、ボックス型リム部における噴水孔などのように、洗浄しにくい部位への適用に好適であり、さらに、エアゾール容器の噴射口に噴射管が接続されている場合は、上記した洗浄しにくい部位への適用により一層好適である。
【００４６】
図１は、トイレの洋式大便器の一例を示す概略説明図であって、図２は、便器のボックス型リム部の一例を示す部分欠截図である。
図１を参照して、本発明のトイレ洗浄用組成物やトイレ用エアゾール洗浄剤を使用するトイレ１０について、その便器１１や便座１２の材質は特に限定されず、例えば、陶器、樹脂、金属などのいずれであってもよい。
【００４７】
本発明のトイレ洗浄用組成物またはトイレ用エアゾール洗浄剤を用いたトイレの洗浄では、例えば、便器１１のボール部１３、リム部１４、便器１１の外側表面１５、便座１２など、洗浄の対象となる部位に対し、本発明のトイレ洗浄用組成物を散布し、または、本発明のトイレ用エアゾール洗浄剤を噴射すればよい。
本発明のトイレ用エアゾール洗浄剤を、便器の表面に噴射する場合において、噴射の程度は、特に限定されないが、例えば、１〜４秒間程度（噴射量約２．５〜８ｇ程度）であることが好適である。
【００４８】
図２を参照して、洗浄の対象となる部位が、便器１１のボックス型リム部１６の噴水孔１７である場合には、例えば、トイレ用エアゾール洗浄剤のエアゾール容器１８噴射口（図示せず）に噴射管１９を接続し、エアゾール容器１８を倒立状態として、噴射すればよい。
本発明のトイレ洗浄用組成物を、本発明のトイレ用エアゾール洗浄剤として噴射した場合には、トイレ洗浄用組成物がムース状となって、エアゾール容器から噴射される。噴射されたトイレ洗浄用組成物は、洗浄の対象となる部位にて、比較的長時間（通常、約３〜５分間程度）留まり、その後、泡が消失し、液状となる。
【００４９】
このように、上記エアゾール洗浄剤によれば、噴射されたトイレ洗浄用組成物を、洗浄の対象となる部位に、一定時間留めることができるため、洗浄効果が向上される。なお、ムース状のトイレ洗浄用組成物が洗浄の対象となる部位に留まっている間に、例えば、ブラシによる擦り洗いなどをすることも可能である。
【実施例】
【００５０】
次に、実施例および比較例を挙げて本発明を説明するが、本発明は、下記の実施例によって限定されるものではない。
実施例１
アルキルポリグルコシド（ノニオン界面活性剤）５．５重量部と、メタケイ酸ナトリウム０．５重量部と、エチレンジアミン四酢酸二ナトリウム（ＥＤＴＡ二ナトリウム）０．５重量部と、Ｄ−リモネン２．０重量部と、精製水８１．５重量部とを配合し、攪拌、混合して、トイレ洗浄用組成物９０．０重量部を得た。トイレ洗浄用組成物のｐＨは、１０．２３であった。
【００５１】
上記トイレ洗浄用組成物９０．０重量部と、ＬＰＧ（プロパン、ｎ−ブタンおよびイソブタンとの混合物）１０．０重量部とを、エアゾール容器内に加圧充填し、密封することにより、トイレ用エアゾール洗浄剤を得た。
実施例２〜４
各上記成分の配合量が異なること以外は、実施例１と同様にして、トイレ洗浄用組成物を調製し、さらに、得られたトイレ洗浄用組成物を用いたこと以外は、実施例１と同様にして、トイレ用エアゾール洗浄剤を得た。各成分の配合量は、表１に示すとおりである。
【００５２】
実施例５
アルカリ剤として、メタケイ酸ナトリウムに代えて、炭酸水素ナトリウム（重曹）を配合し、さらに、各上記成分の配合量を適宜調整したこと以外は、実施例１と同様にして、トイレ用エアゾール洗浄剤を得た。また、得られたトイレ洗浄用組成物を用いたこと以外は、実施例１と同様にして、トイレ用エアゾール洗浄剤を得た。各成分の配合量は、表１に示すとおりである。
【００５３】
実施例６
アルカリ剤として、メタケイ酸ナトリウムと、炭酸水素ナトリウム（重曹）とを配合し、さらに、再付着防止剤としてのポリエチレングリコール（ＰＥＧ）を配合して、各成分の配合量を調整したこと以外は、実施例１と同様にして、トイレ用エアゾール洗浄剤を得た。また、得られたトイレ洗浄用組成物を用いたこと以外は、実施例１と同様にして、トイレ用エアゾール洗浄剤を得た。各成分の配合量は、表１に示すとおりである。
【００５４】
実施例７
脂肪酸アルカノールアミド（ノニオン界面活性剤）５．０重量部と、ヤシ油脂アミノ酸塩（アニオン界面活性剤）２．０重量部と、ヤシ油脂肪酸塩（アニオン界面活性剤）２．０重量部と、メタケイ酸ナトリウム０．５重量部と、エチレンジアミン四酢酸二ナトリウム（ＥＤＴＡ二ナトリウム）０．５重量部と、Ｄ−リモネン２．０重量部と、ジエチレングリコール（ＤＥＧ）８．０重量部と、精製水７０．０重量部とを配合し、攪拌、混合して、トイレ洗浄用組成物９０．０重量部を得た。
【００５５】
さらに、上記トイレ洗浄用組成物を用いたこと以外は、実施例１と同様にして、トイレ用エアゾール洗浄剤を得た。
比較例１
Ｄ−リモネンを配合せず、Ｄ−リモネン分の配合量に合わせて、水の配合量を増やしたこと以外は、実施例１と同様にして、トイレ用エアゾール洗浄剤を得た。また、得られたトイレ洗浄用組成物を用いたこと以外は、実施例１と同様にして、トイレ用エアゾール洗浄剤を得た。各上記成分の配合量は、表１に示すとおりである。
【００５６】
洗浄力の評価試験
（１）無機物による汚れに対する洗浄力の評価
縦、横各１０ｃｍの陶器製タイルの表面に、人工的に生成させた無機物による汚れ５ｇを付着し、乾燥させて、試験片とした。無機物による汚れは、炭酸カルシウム水溶液（濃度約１００ｇ／Ｌ）を上記試験片の表面に塗布し、乾燥させるという一連の操作を繰返し行い、上記試験片の表面に付着した炭酸カルシウムの総量が５ｇとなるようにして調製した。
【００５７】
次いで、上記試験片の無機物による汚れが塗布されている面（試験面）全体に、実施例１〜７、比較例１〜２で得られたトイレ用エアゾール洗浄剤を噴射し、１０分間放置した。放置後、上記テストピースの試験面を水洗し、乾燥させた。
こうして、乾燥後の試験面の状態を目視で観察し、下記の基準で評価した。その結果を表１に示す。
Ａ：汚れが目視で観察できない程度に除去されており、洗浄力が良好であった。
Ａ−：試験面に汚れが残存していることを目視で観察できたものの、その程度は軽微であって、洗浄力は実用上十分であった。
Ｂ：試験面に、目視で観察できる程度の汚れが残存しており、洗浄力が実用上不十分であった。
Ｃ：試験面において、汚れの残存が顕著であった。
【００５８】
また、上記トイレ用エアゾール洗浄剤の噴射に代えて、市販の酸性洗浄剤を塗布した場合と、市販の中性洗浄剤を塗布した場合とについても、上記と同様の評価試験を行った。その結果を、順に、比較例３および比較例４として示した。
さらに、洗浄剤を使用せず、単に蒸留水による水洗のみをした場合についても、同様にして、洗浄力を評価し、その結果を、対照として示した。
【００５９】
（２）有機物による汚れに対する洗浄力の評価
縦、横各１０ｃｍの陶器製タイルの表面に、人工的に生成させた有機物による汚れ５ｇを塗布し、乾燥させて、試験片とした。有機物による汚れは、牛脂とラードとを９：１の重量比で混合したもの（油脂混合物）を上記試験片の表面に塗布し、乾燥させるという一連の操作を繰返し行い、上記試験片の表面に付着した上記油脂混合物の総量が５ｇとなるようにして調製した。
【００６０】
次いで、この試験片を使用したこと以外は、上記評価試験（１）と同様にして、洗浄力を評価した。その結果を表１に示す。
（３）複合的な汚れ（尿石）に対する洗浄力の評価
炭酸カルシウム２．５ｇと、牛脂とラードとを９：１の重量比で混合した油脂混合物２．５ｇとを混ぜ合わせ、得られた混合物を、縦、横各１０ｃｍの陶器製タイルの表面に塗布し、乾燥させて、試験片とした。複合的な汚れは、上記混合物を上記試験片の表面に塗布し、適宜アンモニア水を噴霧しながら、上記混合物を乾燥させ、人工尿石を形成するという一連の操作を繰返し行い、上記試験片の表面に付着した上記混合物の総量が５ｇとなるようにして調製した。
【００６１】
上記試験片を使用したこと以外は、上記評価試験（１）と同様にして、洗浄力を評価した。その結果を表１に示す。
【００６２】
【表１】
2008038033.tif 000003
【００６３】
表１中、比較例２では、市販の酸性洗浄剤を使用し（＊１）、比較例３では、市販の中性洗浄剤を使用した（＊２）。
表１に示すように、界面活性剤と、アルカリ剤と、キレート剤と、テルペン系化合物と、水とを含むトイレ洗浄用組成物を用いた実施例１〜７のトイレ用エアゾール洗浄剤によれば、無機物による汚れと有機物による汚れの両方に対し、洗浄力が良好であり、無機物による汚れと有機物による汚れとが複合して生じる尿石に対しても、洗浄力が良好であった。
【００６４】
これに対し、テルペン系化合物を含有していない比較例１では、有機物による汚れに対して洗浄力を発揮できたものの、無機物による汚れに対する洗浄力が十分ではなく、無機物と有機物とによる複合的な汚れに対する洗浄力が劣っていた。
また、界面活性剤を含有していない比較例２では、無機物による汚れや有機物による汚れのいずれについても、十分な洗浄効果が得られなかった。
【００６５】
本発明は、以上の記載に限定されるものではなく、特許請求の範囲に記載した事項の範囲において、種々の設計変更を施すことが可能である。
【図面の簡単な説明】
【００６６】
【図１】洋式大便器の一例を示す概略斜視図である。
【図２】洋式大便器のボックス型リム部を示す部分断面図である。
【符号の説明】
【００６７】
１０  トイレ
１８  エアゾール容器
１９  噴射管
【図１】
2008038033.tif 000004
【図２】
2008038033.tif 000005